(57)【特許請求の範囲】
【請求項１】
４方を囲繞する連続した壁面と、各壁面の両端縁にそれぞれ設けたフラップと、囲繞された壁面内において対向する壁面にかけて前記フラップと直交方向に延びる仕切壁とを備え、前記フラップのうち、一対の内フラップを折り曲げた後、一対の外フラップを折り曲げて蓋をする断面略Ｈ型の包装箱において、
前記壁面の一端に位置する前記外フラップのうち、一方の突出長さを他方の突出長さより大きく形成するとともに、連続する壁面に対して折り曲げた状態で互いの突出端が突き合う寸法で形成し、
前記一方の外フラップに、幅方向に破断可能な第１破断手段を設けるとともに、該第１破断手段の両端から連続する前記壁面にかけて延びる一対の第２破断手段を設け、
前記外フラップと連続する壁面に、前記第２破断手段と連続し反対側の端縁に向けて延びる一対の第３破断手段を設けるとともに、これら第３破断手段の端部を連続する第４破断手段を設け、
内部に収容する商品を、その上側が前記第３および第４破断手段を形成した壁面の側に位置するように収容させ、
前記フラップを側方に位置させ、前記第３および第４破断手段を設けた壁面を上方に位置させ、
前記各破断手段によりフラップおよび壁面を破断することにより、これらフラップおよび壁面の一部を開放した状態で展示可能としたことを特徴とする包装箱。
【請求項２】
前記壁面のうちの一面を、一対の構成面を貼着することにより構成するとともに、これら構成面に連続した一対のフラップで１つの外フラップを構成し、
これらフラップのうち、一方に破断始点部を設けるとともに、他方に破断終点部を設け、これら破断始点部および破断終点部にかけて前記第１破断手段を設けたことを特徴とする請求項１に記載の包装箱。
【発明の詳細な説明】
【０００１】
【発明の属する技術分野】
本発明は、商品の輸送用包装に使用するとともに、店頭で一部を破断して収容した商品を露出させて展示可能とした包装箱に関し、特に、柔軟で変形し易い商品を展示するのに好適な包装箱に関するものである。
【０００２】
【従来の技術】
この種の包装箱として、実開平７−３１６２０号公報に記載されたものが知られている。この包装箱は、４方を囲繞する壁面の１つが一対の壁面構成部を繋ぎ合わせて形成され、その一方の壁面構成部に連続して仕切壁が設けられている。また、４つの壁面のうち所定の壁面、および、上側開口を閉塞するフラップには、破断構造が設けられ、その壁面から上面にかけて開放させ、内部に収容した商品を露出させて展示できるようにしている。
【０００３】
【発明が解決しようとする課題】
しかしながら、前記包装箱は、樹脂製の袋材に液体を収容させ、直立状態で載置可能とした商品（所謂スタンディングパウチ）を収容する場合、商品が柔軟で変形し易いため、収容作業性が悪いという問題がある。具体的には、このスタンディングパウチは、断面略三角形状をなすため、包装箱の上端開口から収容させると隣接する商品との間に大きな隙間が生じてしまう。そのため、包装箱の上端開口を閉塞しておき、下端開口を開放した状態で、天地を逆向きとした状態で収容作業を行うようにしているが、この方法でもやはり収容作業性および収容数の点で限界があり、特に、手作業で収容作業を行う場合には前記と同様の問題が顕著に現れる。
【０００４】
そこで、本発明では、柔軟で変形し易い商品の収容に適し、店頭にて内部の商品を露出させて展示可能な包装箱を提供することを課題とするものである。
【０００５】
【課題を解決するための手段】
前記課題を解決するため、本発明の包装箱は、４方を囲繞する連続した壁面と、各壁面の両端縁にそれぞれ設けたフラップと、囲繞された壁面内において対向する壁面にかけて前記フラップと直交方向に延びる仕切壁とを備え、前記フラップのうち、一対の内フラップを折り曲げた後、一対の外フラップを折り曲げて蓋をする断面略Ｈ型の包装箱において、前記壁面の一端に位置する前記外フラップのうち、一方の突出長さを他方の突出長さより大きく形成するとともに、連続する壁面に対して折り曲げた状態で互いの突出端が突き合う寸法で形成し、前記一方の外フラップに、幅方向に破断可能な第１破断手段を設けるとともに、該第１破断手段の両端から連続する前記壁面にかけて延びる一対の第２破断手段を設け、前記外フラップと連続する壁面に、前記第２破断手段と連続し反対側の端縁に向けて延びる一対の第３破断手段を設けるとともに、これら第３破断手段の端部を連続する第４破断手段を設け、内部に収容する商品を、その上側が前記第３および第４破断手段を形成した壁面の側に位置するように収容させ、前記フラップを側方に位置させ、前記第３および第４破断手段を設けた壁面を上方に位置させ、前記各破断手段によりフラップおよび壁面を破断することにより、これらフラップおよび壁面の一部を開放した状態で展示可能としたものである。
【０００６】
前記包装箱では、内部に商品を収容する際には、従来と同様に、壁面に設けたフラップの一端側を閉じる一方、他端側を開放した状態で、開放したフラップの側を上向きに配置した状態で行う。この際、柔軟で変形し易い商品を収容する場合には、例えば蓋を構成するフラップを側方に位置させて配置する。そうすると、商品は横向きに収容させることになり、その結果、その商品は、包装箱内において均一的に偏平した状態になるため、各商品間に隙間を生じさせることなく、作業性よく収容することができる。
【０００７】
【発明の実施の形態】
以下、本発明の実施の形態を図面に従って説明する。
図１は、本発明の実施形態に係る断面Ｈ型の包装箱１を示す。この包装箱１は、上下方向にかけた４方を囲繞する壁面２，３Ａ，３Ｂ，４（４Ａ，４Ｂ）を備え、その両端の開口を閉塞するフラップ１０Ａ〜１０Ｅ，１２Ａ〜１２Ｅと仕切壁６とを一体に成形し、図１の下段に示す収容状態から上段に示すように一部を開放し、内部に収容した商品を展示可能としたものである。
【０００８】
具体的には、この包装箱１は、紙器打抜装置（図示せず）によって段ボール紙を打ち抜き、連続した一枚の展開状態で打ち抜いて成形される。なお、前記段ボール紙は、一対の表紙および裏紙の間に波状の中しんを配設した周知のものである。
【０００９】
展開状態の打抜製品１’は、図２（Ａ）に示すように、略中央に位置する幅方向に長尺な下壁面２の両側に、一対の側壁面３Ａ，３Ｂが連続するとともに、これら側壁面３Ａ，３Ｂの両側に、上壁面４を構成する上壁構成面４Ａ，４Ｂが連続するように設けられている。なお、各壁面２，３Ａ，３Ｂおよび上壁構成面４Ａ，４Ｂとの境界部分には、一点鎖線で示すように、段ボール紙の肉厚を圧縮して成形した折曲線５が設けられている。
【００１０】
前記上壁構成面４Ａ，４Ｂは、図中左側の上壁構成面４Ａの幅を前記下壁面２の幅の略半分とし、右側の上壁構成面４Ｂの幅を下壁面２の幅の半分より大きく形成されている。そして、包装箱１の組立時には、上壁構成面４Ｂを上壁構成面４Ａの外側に重畳させ、糊付けにより貼着するとともに、その重畳部分を圧縮し、重畳していない部分の肉厚と略同等となるように構成される。
【００１１】
前記下壁面２、側壁面３Ａ，３Ｂ、および、上壁構成面４Ａ，４Ｂのうち、左側端部に位置する上壁構成面４Ａには、仕切壁６が連続するように設けられている。この仕切壁６は、前記側壁面３Ａ，３Ｂと略同一幅に形成され、その端部には糊代部７が設けられるとともに、その境界部分に折曲線８が設けられている。そして、包装箱１の組立状態では、対向する上壁面４から下壁面２にかけて後述するフラップ１０Ａ〜１０Ｅ，１２Ａ〜１２Ｅと直交方向に延びるように位置する構成としている。また、この仕切壁６と上壁構成面４Ａとの境界部分には、所定間隔をもって直線状に延びる破断ラインと、該破断ラインの一端より傾斜して延びるガイドラインとからなる片ジッパー９が設けられている。なお、前記ガイドラインは、上壁構成面４Ａの側に延びるように設けられている。
【００１２】
前記下壁面２、側壁面３Ａ，３Ｂ、および、上壁構成面４Ａ，４Ｂの上側端縁には、これらにより囲繞された開口を閉塞する第１フラップ１０Ａ〜１０Ｅが設けられ、その境界部分には折曲線１１が設けられている。
【００１３】
そのうち、側壁面３Ａ，３Ｂと連続する第１フラップ１０Ｂ，１０Ｃは、他の第１フラップ１０Ａ，１０Ｄ，１０Ｅの内側に位置する内フラップを構成するものである。下壁面２と連続する第１フラップ１０Ａは、他の第１フラップ１０Ｄ，１０Ｅとともに外フラップを構成するもので、その突出長さは、テープによる貼着で段ボール紙自身が備えた弾性により浮き上がらない程度でできるだけ小さい寸法とされている。上壁構成面４Ａ，４Ｂと連続する第１フラップ１０Ｄ，１０Ｅは、上壁構成面４Ａ，４Ｂと同様に、互いの端部が糊付けにより貼着され、１つのフラップを構成するもので、その突出長さは、前記第１フラップ１０Ａとともに折曲線１１に沿って折り曲げると、互いの突端縁が突き合う寸法とされている。
【００１４】
また、前記下壁面２、側壁面３Ａ，３Ｂ、および、上壁構成面４Ａ，４Ｂの下側端縁には、これらにより囲繞された開口を閉塞する第２フラップ１２Ａ〜１２Ｅが設けられ、その境界部分には折曲線１３が設けられている。
【００１５】
そのうち、側壁面３Ａ，３Ｂと連続する第２フラップ１２Ｂ，１２Ｃは内フラップを構成し、他の第２フラップ１２Ａ，１２Ｄ，１２Ｅは外フラップを構成するものである。なお、第２フラップ１２Ｄ，１２Ｅは、第１フラップ１０Ｄ，１０Ｅと同様に、互いの端部が糊付けにより貼着され、１つのフラップを構成するものである。そして、これら第２フラップ１２Ａ，１２Ｄ，１２Ｅの突出長さは、折曲線１３に沿って折り曲げると、互いの突端縁が中央で突き合う寸法とされている。
【００１６】
本実施形態では、組立状態で１つのフラップを構成する第１フラップ１０Ｄ，１０Ｅに、第１破断手段１４および一対の第２破断手段１７が設けられている。また、これら第１フラップ１０Ｄ，１０Ｅに連続する上壁構成面４Ａ，４Ｂに、一対の第３破断手段１８および第４破断手段１９が設けられている。
【００１７】
前記第１破断手段１４は、１つの外フラップを構成する第１フラップ１０Ｄ，１０Ｅを幅方向に破断するもので、図２（Ｂ）に示すように、幅方向（切断方向）に沿って所定間隔をもって直線状に延びる破断ラインａと、各破断ラインａの一端から同方向に傾斜して延びるガイドラインｂを対称に一対設けたジッパーからなる。なお、前記ガイドラインｂ，ｂは、互いに近接する方向に延びるように設けられている。また、この第１破断手段１４は、各第１フラップ１０Ｄ，１０Ｅの縁との間に、テープを貼着可能な間隔を有する位置とされている。組立状態において、この第１破断手段１４の左側端部に位置する第１フラップ１０Ｄの端部には、略Ｈ字形状の破断始点部１５が設けられている。この破断始点部１５は、平行に延びる破断ラインの間が摘み部１５ａを構成する。また、第１破断手段１４の右側端部に位置する第１フラップ１０Ｅの端部には、その端の破断ラインａ，ａを連続させる破断終点部１６が設けられている。
【００１８】
前記第２破断手段１７は、前記第１破断手段１４の両端の破断始点部１５および破断終点部１６から、連続する前記上壁構成面４Ａ，４Ｂとの境界部分（稜部）にかけて高さ方向に延びるもので、所定間隔をもって直線状に延びる破断ラインａと、各破断ラインａの一端から延びるガイドラインｂを設けた片ジッパーからなる。なお、この第２破断手段１７では、ガイドラインｂが内側に向けて延びるように設けられている。また、この第２破断手段１７は、各第１フラップ１０Ｄ，１０Ｅの縁との距離が、内フラップを構成する第１フラップ１０Ｂ，１０Ｃの突出長さより広く形成されている。
【００１９】
前記第３破断手段１８は、前記第２破断手段１７の端部から連続して反対側の端縁（稜部）にかけて延びるもので、第２破断手段１７と同様に、破断ラインａとガイドラインｂとを設けた片ジッパーからなる。この第３破断手段１８では、ガイドラインｂは内側に向けて延びるように設けられている。
【００２０】
前記第４破断手段１９は、前記第３破断手段１８の端部を連続するもので、隣接する第２フラップ１２Ｄ，１２Ｅとの境界部分である稜部に沿って所定間隔をもって延びる破断ラインａと、上壁構成面４Ａ，４Ｂ内である内側に向けて延びるガイドラインｂとを設けた片ジッパーからなる。
【００２１】
前記構成の打抜製品１’からなる包装箱１は、内部に柔軟で変形し易いスタンディングパウチなどの商品を収容する場合には、各フラップ１０Ａ〜１０Ｅ，１２Ａ〜１２Ｅが側方に位置するように配置して使用する。この場合、上下方向に延びる面は、各フラップ１０Ａ〜１０Ｅ，１２Ａ〜１２Ｅによる蓋部分、側壁面３Ａ，３Ｂおよび仕切壁６である。
【００２２】
ここで、この種の段ボール紙からなる包装箱１は、上下方向に延びる面の中しんが上下方向に延びるように構成することにより、上下方向の圧縮強さが強くなる一方、中しんが横方向に延びるように構成することにより、上下方向の圧縮強さが弱くなる。
【００２３】
しかし、前記フラップ１０Ａ〜１０Ｅ，１２Ａ〜１２Ｅによる蓋部分と、側壁面３および仕切壁６とは、互いに直交する方向に中しんが延びるようになる。そのため、本実施形態では、図１に示すように、側壁面３および仕切壁６を構成する面の中しんが上下方向に延びるように構成している。
【００２４】
次に、前記打抜製品１’の組み立てについて説明する。
まず、前記打抜製品１’の裏紙側を上向きに位置させた状態で、仕切壁６の端に設けた糊代部７に酢酸ビニルエマルジョン系の接着剤などを塗布する。
【００２５】
その後、側壁面３Ａと上壁構成面４Ａとの間の折曲線５に沿って上壁構成面４Ａの側を折り曲げ、糊代部７を下壁面２上に重畳させ、圧着することにより、糊代部７と下壁面２とを貼着するとともに、重畳した肉厚を圧縮する。なお、この状態では、図３に示すように、糊代部７と上壁構成面４Ａとの間に設けた折曲線８が、下壁面２の略中央に位置する。
【００２６】
ついで、連続した上壁構成面４Ｂ、第１フラップ１０Ｅおよび第２フラップ１２Ｅの縁に前記と同様の接着剤を塗布した後、下壁面２と側壁面３Ｂとの間の折曲線５に沿って上壁構成面４Ｂの側を折り曲げる。これにより、前記上壁構成面４Ｂ、第１フラップ１０Ｅおよび第２フラップ１２Ｅの縁が、上壁構成面４Ａ、第１フラップ１０Ｄおよび第２フラップ１２Ｄの上に重畳する。そして、この重畳部分を圧着することにより、これらを貼着するとともに、重畳した肉厚を圧縮する。
【００２７】
このように組み立てられた包装箱１は、この状態で、所定のメーカに納品され、この製造メーカにて、商品を収容して梱包される。
【００２８】
この収容作業では、例えば、まず、第２フラップ１２Ａ〜１２Ｅのうち、内フラップを構成する第２フラップ１２Ｂ，１２Ｃを折曲線１３に沿って内向きに折り曲げた後、外フラップを構成する第２フラップ１２Ａ，１２Ｄ，１２Ｅを折曲線１３に沿って内向きに折り曲げる。そして、第２フラップ１２Ａ，１２Ｄ，１２Ｅの突き合った先端部分をテープにより貼着して蓋をする。
【００２９】
この状態で、図４に示すように、開放した第１フラップ１０Ａ〜１０Ｅの側を上向きに配置し、所定の商品を収容する。この際、本発明の包装箱１は、蓋を構成するフラップ１０Ａ〜１０Ｅ，１２Ａ〜１２Ｅを側方に位置させて配置する構成としているため、収容する商品は、その上側が前記第３および第４破断手段１８，１９を形成した壁面４の側に位置するように横向きに収容させる。
【００３０】
そのため、柔軟で変形し易いスタンディングパウチなどの商品を収容する場合には、その商品は、包装箱１内において自重により均一的に偏平した状態になる。その結果、各商品間には隙間が生じることなく、作業性よく収容することができる。
【００３１】
このようにして商品を収容した包装箱１は、第１フラップ１０Ａ〜１０Ｅのうち、内フラップを構成する第１フラップ１０Ｂ，１０Ｃを折曲線１１に沿って折り曲げた後、外フラップを構成する第１フラップ１０Ａ，１０Ｄ，１０Ｅを折曲線１１に沿って折り曲げ、その突き合った先端部分をテープにより貼着して蓋をする。
【００３２】
前記包装箱１に収容した商品を販売する販売店の店頭では、例えば図１に示すように、フラップ１０Ａ〜１０Ｅ，１２Ａ〜１２Ｅを側方に位置させ、第３および第４破断手段１８，１９を設けた上壁構成面４Ａ，４Ｂが上方に位置するように包装箱１を積み上げ、その最上段の包装箱１を開放状態とする。
【００３３】
具体的には、まず、側面に位置する第１フラップ１０Ｄの破断始点部１５の摘み部１５ａを把持し、第１破断手段１４を破断終点部１６の方向に引っ張る。これにより、図５に示すように、ガイドラインｂにより外方向に破断方向が広がることなく、破断ラインａに沿って第１フラップ１０Ｄおよび貼着した第１フラップ１０Ｅを横方向に破断する。なお、この破断は、破断終点部１６に至ることにより止まる。
【００３４】
ついで、破断により開放した第１破断手段１４の部分から手を差し込み、第１フラップ１０Ｄ，１０Ｅを上向きに引き上げることにより、両側の第２破断手段１７に沿って第１フラップ１０Ｄ，１０Ｅを垂直方向に破断する。
【００３５】
そして、第２破断手段１７による破断が上壁構成面４Ａ，４Ｂの稜部まで至ると、引っ張る方向を第２フラップ１２Ａ〜１２Ｅの側に変更することにより、両側の第３破断手段１８に沿って上壁構成面４Ａ，４Ｂを破断すると同時に、仕切壁６と上壁構成面４Ａとの間に設けた片ジッパー９に沿ってこれら仕切壁６と上壁構成面４Ａとを破断する。
【００３６】
その後、第３破断手段１８による破断が隣接する第２フラップ１２Ｄ，１２Ｅの綾部まで至ると、破断した上壁構成面４Ａの縁を把持し、破断始点部１５の側から破断終点部１６の側へ上壁構成面４Ａおよび貼着した上壁構成面４Ｂを引っ張る。これにより、第４破断手段１９に沿って上壁構成面４Ａ，４Ｂを破断し、図１の上段に示すように、側部および上部の一部を開放状態とする。
【００３７】
この開放状態では、内部に収容した商品を露出させることができるため、店頭にて棚などの陳列台を設置することなく、商品を展示することができる。しかも、本実施形態では、下壁面２と連続する第１フラップ１０Ａの突出長さをできるだけ小さい寸法としているため、広い露出領域を確保することができ、その結果、販売促進効果を得ることができる。
【００３８】
また、前記包装箱１は、連続した一枚の打抜製品１’からなるため、部品点数の削減を図ることができ、製造に係る作業性、保管に係る製品管理、収容スペースなど、種々の面で好適であり、大幅にコストダウンを図ることができる。
【００３９】
さらに、前記包装箱１は、フラップ１０Ａ〜１０Ｅ，１２Ａ〜１２Ｅを側方に位置させて配置するため、側方に位置する面の段ボール紙を構成する中しんの延び方向が異なるが、側壁面３Ａ，３Ｂおよび仕切壁６の３面の中しんが上下方向に位置する構成としているため、上下方向の圧縮強さを損なうことはない。そのため、包装箱１を上下方向に積み上げても、下段の包装箱１が潰れるなどの不都合が生じることはない。勿論、包装箱１を３段に積み上げ、中段と上段とを図１に示すように開放状態としても、中段の包装箱１が潰れることもない。
【００４０】
なお、本発明の包装箱１は、前記実施形態の構成に限定されるものではない。例えば、図６に示すように、図２（Ａ）中、切り落とす領域に位置する第２フラップ１２Ａ〜１２Ｅの側に、仕切壁６と連続する折曲部２０を設けるとともに、その境界部分に折曲線２１を設けてもよい。このようにすれば、仕切壁６が断面略Ｌ字形状をなし、この状態で上下方向に延びるため、より上下方向の圧縮強さを向上できる。
【００４１】
また、前記実施形態では、仕切壁６は、箱内の中央に位置するように設けたが、その位置は希望に応じて変更可能である。
【００４２】
また、仕切壁６は、別体に形成する構成とし、糊付けや圧入などの方法で設けてもよい。この場合、前記実施形態のように、上壁面４は、２つの構成面４Ａ，４Ｂに分割して形成する必要はない。
【００４３】
また、仕切壁６の数は１つに限られず、２以上設ける構成としてもよい。この場合、前記実施形態のように一体成形したものと、別体に形成したものとを組み合わせることが好ましい。
【００４４】
また、前記実施形態では、各破断手段１４，１７，１８，１９を破断ラインａとガイドラインｂとからなるジッパーまたは片ジッパー構造により構成したが、一面に粘着剤が塗布されたＰＰ製のテープを裏面に貼着し、この樹脂テープの強度により段ボール紙の所定位置を破断する構成としてもよい。
【００４５】
また、第３破断手段１８は、必ずしも隣接する第２フラップ１２Ｄ，１２Ｅとの綾部まで延ばす必要はない。
【００４６】
また、前記実施形態では、各破断手段１４，１７，１８，１９を２つの構成面からなるフラップ１０Ｄ，１０Ｅおよび構成面４Ａ，４Ｂに設けたが、連続した１つフラップ１０Ａおよび壁面２に設けてもよい。
【００４７】
また、前記実施形態では、柔軟な商品を収容させるため、フラップ１０Ａ〜１０Ｅ，１２Ａ〜１２Ｅが側方に位置するように配置したが、変形しない商品を収容する場合には、フラップ１０Ａ〜１０Ｅが上方に位置するように配置してもよい。このようにしても、前記と同様の破断作業を行うことにより、包装箱１の側部と上部の一部を開放し、内部の商品を露出させて展示することができる。なお、この場合には、段ボール紙の中しんは、図２（Ａ）と直交方向、即ち、フラップ１０Ａ〜１０Ｅからフラップ１２Ａ〜１２Ｅにかけて延びるように構成することが好ましい。
【００４８】
【発明の効果】
以上の説明から明らかなように、本発明の包装箱は、柔軟で変形し易い商品を収容する場合には、蓋を構成するフラップを側方に位置させて配置し、商品は横向きに収容させることができる。その結果、その商品の収容作業時には、商品は、包装箱内において自重で均一的に偏平した状態になるため、各商品間に隙間を生じさせることなく、作業性よく収容することができる。
【図面の簡単な説明】
【図１】  本発明の実施形態に係る包装箱を示す斜視図である。
【図２】  （Ａ）は包装箱の展開状態を示す平面図、（Ｂ）は（Ａ）の一部拡大平面図である。
【図３】  包装箱の組立工程の１つの状態を示す斜視図である。
【図４】  包装箱内に商品を収容する状態を示す斜視図である。
【図５】  包装箱を開放する工程の１つの状態を示す斜視図である。
【図６】  変形例の包装箱の展開状態を示す平面図である。
【符号の説明】
１…包装箱、２…下壁面、３Ａ，３Ｂ…側壁面、４…上壁面、４Ａ，４Ｂ…上壁構成面、６…仕切壁、１０Ａ〜１０Ｅ…第１フラップ、１２Ａ〜１２Ｅ…第２フラップ、１４…第１破断手段、１７…第２破断手段、１８…第３破断手段、１９…第４破断手段。
【図１】
0004128003.tif 000002
【図２】
0004128003.tif 000003
【図３】
0004128003.tif 000004
【図４】
0004128003.tif 000005
【図５】
0004128003.tif 000006
【図６】
0004128003.tif 000007